(57)【要約】【課題】冷暖房用の間仕切ＰＣパネルがその重量により適用範囲が限定されてリニューアルや後工事への適用ができないので、大きな輻射冷暖房パネルによる快適な居住環境を低コストで享受できるというその特徴を十分には生かすことができなっかた。【解決手段】冷暖房用建物壁構造は、建物躯体Ｂに固定されて同建物の内部に空間を画成する壁体１からなり、この壁体１は、互いに離間して対向配置した２枚の板材２，２からなる中空体によって形成し、その板材２，２の少なくとも一部を熱伝導材による熱放射部２ａを形成するとともに、この熱放射部２ａに対して熱交換可能に熱媒体を強制貫流するための流路３を同中空体の内部空間に形成する。【選択図】図１
2005036504.tif 000002
【特許請求の範囲】
【請求項１】
建物躯体に固定されて同建物の内部に空間を画成する壁体からなり、この壁体の表面温度を制御することにより冷温熱を放射する冷暖房用建物壁構造において、
上記壁体は、互いに離間して対向配置した２枚の板材からなる中空体によって形成し、その板材の少なくとも一部を熱伝導材による熱放射部を形成するとともに、この熱放射部に対して熱交換可能に熱媒体を強制貫流するための流路を同中空体の内部空間に形成したことを特徴とする冷暖房用建物壁構造。
【請求項２】
建物躯体に固定されて同建物の内部に空間を画成する壁体からなり、この壁体の表面温度を制御することにより冷温熱を放射する冷暖房用建物壁構造において、
上記壁体は、所定の構造強度と熱伝導性とを有するＰＣ板によって形成し、このＰＣ板には、熱交換可能に熱媒体を強制貫流するための流路を形成することによりその前後の壁面を熱放射部とするとともに、同壁体を建物の外側面に配置したことを特徴とする冷暖房用建物壁構造。
【請求項３】
前記流路の入口には、熱媒体を強制送出する熱媒体の送出部を連通接続したことを特徴とする請求項１又は請求項２記載の冷暖房用建物壁構造。
【請求項４】
前記熱放射部の少なくとも一部には、熱交換用の凹凸形状を形成したことを特徴とする請求項１又は請求項２記載の冷暖房用建物壁構造。
【請求項５】
前記壁体の内部には、断熱材により前後の熱放射部の間を仕切って構成したことを特徴とする請求項１又は請求項２記載の冷暖房用建物壁構造。
【請求項６】
前記壁体の内部には、流路から受けた冷温熱を蓄積または放出する蓄熱材を充填形成により付設したことを特徴とする請求項１記載の冷暖房用建物壁構造。
【請求項７】
前記蓄熱材は、所定の構造強度で内部空間を埋める充填材によって形成し、この充填材には、流路を形成する熱伝導性のパイプ材を埋設したことを特徴とする請求項６記載の冷暖房用建物壁構造。
【請求項８】
前記２枚の板材には両者間を所定距離に位置決めするためのスペーサを設け、このスペーサの両端には、２枚の板材との間に着脱可能な嵌合部を介設したことを特徴とする請求項７記載の冷暖房用建物壁構造。
【請求項９】
前記２枚の板材には、その少なくとも一方に充填材を充填するための開口を形成したことを特徴とする請求項７記載の冷暖房用建物壁構造。
【請求項１０】
前記壁体には、その板材を貫通して流路の熱媒体を熱放射部側に排出可能な１以上の貫通孔を形成したことを特徴とする請求項１記載の冷暖房用建物壁構造。
【請求項１１】
前記２枚の板材は、所定の構造強度を有する網目材による一体成形のかご体によって形成したことを特徴とする請求項１０記載の冷暖房用建物壁構造。
【請求項１２】
前記貫通孔は、壁体の少なくとも一方の全面から均等排出可能に均等密度で配置したことを特徴とする請求項１０記載の冷暖房用建物壁構造。
【請求項１３】
前記壁体の片側の熱放射部の外面に外装材を取付けたことを特徴とする請求項１又は請求項２記載の冷暖房用建物壁構造。
【請求項１４】
前記壁体の片側の熱放射部の外面に断熱材を取付けたことを特徴とする請求項１又は請求項２記載の冷暖房用建物壁構造。
【請求項１５】
前記壁体と建物躯体との間には、その間隙を充填して成形接続する熱伝導性の充填材を介設したことを特徴とする請求項２記載の冷暖房用建物壁構造。
【発明の詳細な説明】
【技術分野】
【０００１】
本発明は、建物内に空間を画成する壁体を形成しつつ冷温熱を放射する冷暖房用建物壁構造に関するものであり、特に、低コストで快適な冷暖房居住環境を確保した上で、リニューアルや後工事、小規模建物等に及ぶ幅広い適用が可能な冷暖房用建物壁構造に関するものである。
【背景技術】
【０００２】
従来、輻射冷暖房のために、建物壁に取付ける輻射パネルの例が、特許文献１のように、知られている。これは、プラスターボードの壁体にラスを介して熱輻射部を取付け、この熱輻射部は、成形硬化材中に温水管とともに補強材を埋設したものであり、これにより、温度サイクルによる周期的な熱応力変化を受けてもパネルのクラックを防止するようにしたものである。しかし、上記熱輻射部は、壁体の構成に加えて熱輻射のための構成を要することから、構成の複雑化によるコストの問題とともに、壁体が熱輻射部から大きな荷重負荷を受けるので、壁体の全面を熱輻射部とすることは実質的に困難であった。この問題を解決するために、本発明者は、特許文献２に記載の間仕切パネルを先に提案した。この間仕切パネルは、全面熱輻射が可能な冷暖房用建物壁構造を構成するＰＣパネルとして工場生産してその寸法精度および自立強度を確保しつつ簡易な構成により低コスト化を可能とし、その結果、大きな壁パネル全面の輻射冷暖房による快適な居住環境を低コストで享受することを可能とするものである。
【０００３】
しかし、上記間仕切パネルによる建物壁構造は、低コストで快適な居住環境を提供できるものの、その施工の際に大きな重量を取扱うための重機等の特別なハンドリング手段を建設現場に設置する必要があることから、大規模な新設建物の工事に適用が限定されるという問題を内包している。
【特許文献１】特開平１１−３２４１８５号公報
【特許文献２】特開２００３−１６０９８５号公報
【発明の開示】
【発明が解決しようとする課題】
【０００４】
解決しようとする問題点は、上記間仕切パネルによる建物壁構造の施工が重機設置を条件とする施工方法の制限から適用範囲が限定され、すなわち、リニューアルや後工事への適用ができないので、大きな輻射冷暖房パネルによる快適な居住環境を低コストで享受できるというその特徴を十分には生かすことができなっかた点にある。
【課題を解決するための手段】
【０００５】
請求項１に係る発明は、建物躯体に固定されて同建物の内部に空間を画成する壁体からなり、この壁体の表面温度を制御することにより冷温熱を放射する冷暖房用建物壁構造において、上記壁体は、互いに離間して対向配置した２枚の板材からなる中空体によって形成し、その板材の少なくとも一部を熱伝導材による熱放射部を形成するとともに、この熱放射部に対して熱交換可能に熱媒体を強制貫流するための流路を同中空体の内部空間に形成したことを特徴とする。
【０００６】
請求項２に係る発明は、建物躯体に固定されて同建物の内部に空間を画成する壁体からなり、この壁体の表面温度を制御することにより冷温熱を放射する冷暖房用建物壁構造において、上記壁体は、所定の構造強度と熱伝導性とを有するＰＣ板によって形成し、このＰＣ板には、熱交換可能に熱媒体を強制貫流するための流路を形成することによりその前後の壁面を熱放射部とするとともに、同壁体を建物の外側面に配置したことを特徴とする
【０００７】
請求項３に係る発明は、請求項１又は請求項２記載の発明において、前記流路の入口には、熱媒体を強制送出する熱媒体の送出部を連通接続したことを特徴とする。
【０００８】
請求項４に係る発明は、請求項１又は請求項２記載の発明において、前記熱放射部の少なくとも一部には、熱交換用の凹凸形状を形成したことを特徴とする。
【０００９】
請求項５に係る発明は、請求項１又は請求項２記載の発明において、前記壁体の内部空間には、断熱材により２枚の板材の間を仕切って構成したことを特徴とする。
【００１０】
請求項６に係る発明は、請求項１記載の発明において、前記壁体の内部空間には、流路から受けた冷温熱を蓄積または放出する蓄熱材を充填形成により付設したことを特徴とする。
【００１１】
請求項７に係る発明は、請求項６記載の発明において、前記蓄熱材は、所定の構造強度で内部空間を埋める充填材によって形成し、この充填材には、流路を形成する熱伝導性のパイプ材を埋設したことを特徴とする。
【００１２】
請求項８に係る発明は、請求項７記載の発明において、前記２枚の板材には両者間を所定距離に位置決めするスペーサを設け、このスペーサの両端には、２枚の板材との間に着脱可能な嵌合部を介設したことを特徴とする。
【００１３】
請求項９に係る発明は、請求項７記載の発明において、前記２枚の板材には、その少なくとも一方に充填材を充填するための開口を形成したことを特徴とする。
【００１４】
請求項１０に係る発明は、請求項１記載の発明において、前記壁体には、その板材を貫通して流路の熱媒体を熱放射部側に排出可能な１以上の貫通孔を形成したことを特徴とする。
【００１５】
請求項１１に係る発明は、請求項１０記載の発明において、前記２枚の板材は、所定の構造強度を有する網目材による一体成形のかご体によって形成したことを特徴とする。
【００１６】
請求項１２に係る発明は、請求項１０記載の発明において、前記貫通孔は、壁体の少なくとも一方の全面から均等排出可能に均等密度で配置したことを特徴とする。
【００１７】
請求項１３に係る発明は、請求項１又は請求項２記載の発明において、前記壁体の片側の熱放射部の外面に外装材を取付けたことを特徴とする。
【００１８】
請求項１４に係る発明は、請求項１又は請求項２記載の発明において、前記壁体の片側の熱放射部の外面に断熱材を取付けたことを特徴とする。
【００１９】
請求項１５に係る発明は、請求項２記載の発明において、前記壁体と建物躯体との間には、その間隙を充填して成形接続する熱伝導性の充填材を介設したことを特徴とする。
【発明の効果】
【００２０】
中空状の壁体によって冷暖房用建物壁構造を構成したものにあっては、その壁体内に形成した流路により熱媒体が強制貫流され、その冷温熱が熱放射部を介して室内側に放射されるので、簡易な構成により、快適な冷暖房環境を形成することができる。したがって、低コストで快適な壁面輻射冷暖房を可能とするとともに、中空壁体によって軽量性と施工性が確保されることから、施工現場における充填施工を含め、多様な施工態様を選択することができるので、大規模建物の新設施工に限ることなく、小規模建物を含め、リニューアル施工や後工事による部分改修等にまで幅広く適用することができる（請求項１）。
【００２１】
熱放射ＰＣ板を建物外周に配置したものにあっては、構造外壁としてのパネル強度を容易に確保でき、さらに、室外施工の適用による施工上の自由度が確保される上に、強制貫流される熱媒体による冷温熱が外壁面の熱放射部を介して放射されるので、外部条件の影響を最小限に抑えることができる。したがって、施工上の自由度によりリニューアルや部分改修の際の後工事、小規模建物に及ぶ幅広い適用が可能となるとともに、外壁を介して受ける外部条件の影響が簡易な構成の熱放射壁体により小さく抑えられるので、通常の冷暖房によっては解決し得ない均一な室内環境が確保され、例えば、家具と接する外壁内面の空気滞留による寒冷結露問題等が解消されることにより、快適な冷暖房環境を形成することが可能となる（請求項２）。
【００２２】
熱媒体の送出部を付帯接続した場合は、請求項１又は請求項２記載の発明の効果に加え、強制貫流に適する流路に熱媒体が強制送出され、この熱媒体を介して冷温熱が中空壁体から効率よく放射され、効果的な冷暖房作用を確保することができる（請求項３）。中空壁体の熱放射部を凹凸形状とした場合は、請求項１又は請求項２記載の発明の効果に加え、熱伝達面積の増加によって効率よく冷暖房することができる（請求項４）。中空壁体を断熱性の仕切部で仕切った場合は、請求項１又は請求項２記載の発明の効果に加え、必要に応じて片面ずつ選択して冷暖房することができる（請求項５）。
【００２３】
中空壁体内に蓄熱材を設けた場合は、請求項１記載の発明の効果に加え、環境との温度差に応じて蓄熱材が熱を給排することから、熱送出の停止条件下においても、環境の温度変化を抑えて安定した居住環境を維持することができる（請求項６）。蓄熱材を充填形成した場合は、請求項６記載の発明の効果に加え、強度と合わせて蓄熱性を確保することができる（請求項７）。嵌合構造のスペーサを設けた場合は、請求項７記載の発明の効果に加え、現場充填の際の施工性を向上することができる（請求項８）。充填口を形成した場合は、請求項７記載の発明の効果に加え、施工性を向上することができるとともに、熱媒体の給排部の配置に利用することができる（請求項９）。
【００２４】
中空壁体に貫通孔を形成した場合は、請求項１記載の発明の効果に加え、熱媒体が直接放出されることから、即効性を備えた熱放射冷暖房として機能する（請求項１０）。中空壁体を網目材によるかご構成とした場合は、請求項１０記載の発明の効果に加え、自立強度の確保とともに、通気性を有する幅広い仕上材から選択適用が可能となる（請求項１１）。貫通孔を中空壁体に均等配置した場合は、請求項１０記載の発明の効果に加え、層流空間による快適な居住環境を形成することができる（請求項１２）。
【００２５】
外装材を取付けた場合は、請求項１又は請求項２記載の発明の効果に加え、半戸外における冷暖房が可能となる（請求項１３）。断熱材を取付けた場合は、請求項１又は請求項２記載の発明の効果に加え、外断熱環境を確保することができる（請求項１４）。
【００２６】
壁体と躯体接続部の間を熱伝導材で充填形成した場合は、請求項２記載の発明の効果に加え、建物躯体延出部による冷橋現象を防止することができる。したがって、冷橋防止効果により外断熱工法によっても解決できない建物躯体延出部による外部条件の影響を小さく抑えて均一な室内環境を確保することができる（請求項１５）。
【発明を実施するための最良の形態】
【００２７】
本発明の建物壁構造を構成する冷暖房用建物壁パネルは、中空壁体によるものとＰＣ板によるものとの２つの態様を有する。それぞれについて以下に説明する。
【００２８】
（構成例１）
図１は、本発明の建物壁構造を構成する冷暖房用建物壁パネル（構成例１）の要部斜視図、図２は、その拡大断面図である。冷暖房用建物壁パネル１（以下において、単に「壁パネル」と称する。）は、図示せぬ建物躯体に固定されて同建物内部に空間を画成する壁体であり、この壁体１は、互いに離間して対向配置した単位寸法幅Ｗの２枚の板材２，２からなる中空体によって形成し、その板材２，２は放熱用の金属板、または、その少なくとも一部を金属板等の熱伝導材による熱放射部２ａを形成するとともに、この熱放射部２ａに対して熱交換可能に気体による熱媒体を強制貫流するための流路３を同中空体の内部空間に形成する。
【００２９】
壁体１は、各階床の高さ、または、床と天井の内装材Ｉに達する高さに形成し、建物躯体Ｂに上下端または側端を固定して横並びに連接配置することにより一体形成の間仕切り壁体を構成する。単位となるそれぞれの壁体１の流路３には、熱媒体の供給口４、排出口５を形成する。供給口４と排出口５を壁体１の側端部に形成した場合は、連接配置した各壁体１…の流路３を横に連通し、その両側端部を全体の供給口および排出口とすることができる。その他、供給口４は、上端部、上部壁面等に形成することができる。この供給口４には、空気、また、必要により酸素分圧等を調節した調節気体等を加熱または冷却する熱交換部等による熱源部６から送出部７を経由し、接続する送出ダクト８を介して熱媒体を強制貫流し、排出口５には排出ダクト９を接続し、必要により吸引排気用の排出部１０を設ける。
【００３０】
上記構成の冷暖房用建物壁パネル１は、中空状の壁体によって構成され、その壁体１内に形成した流路３により熱媒体が強制貫流され、その冷温熱が熱放射部２ａを介して室内Ｒに放射されるので、簡易な構成により、快適な冷暖房環境を形成することができる。したがって、冷暖房用建物壁パネル１による建物壁構造は、快適な壁面輻射冷暖房を低コストで施工可能とするとともに、その中空壁体の軽量性により施工性が確保されることから、施工現場において必要に応じた施工態様を選択することができるので、大規模建物の新設施工に限ることなく、小規模建物を含め、リニューアル工事や部分改修のための後工事等にまで幅広く適用することができる。
【００３１】
（構成例２）
以下において、前記同様の部材はその符号を付すことによって説明を省略する。
図３の冷暖房用建物壁パネル１１は、２枚の穴あき板材１２，１２によって前記同様に壁体を構成する。穴あき板材１２，１２には、板材を貫通して流路３の熱媒体を室内Ｒに排出が可能な１以上の貫通孔５ａを形成する。貫通孔５ａは、図示のように壁体１１の全面に等距離に配置した多数の細孔とし、また、大きな開口による貫通孔５ｂと壁体１１の排出口５を必要により組み合わせ、または選択することにより、熱媒体の直接作用による冷暖房の速効性と多様な室内通気制御が可能となる。
【００３２】
壁体１１の具体的な構成は、図４（ａ）の断面図に示すように、穴あき板材１２，１２には、熱伝導板を裏打材１３、１３として固着し、流路３から室内Ｒに達する貫通孔５ａを形成する。壁体１１の上端および下端には嵌込み溝１４，１５を形成し、それぞれと対応するけんどん構成の垂材１６および幅木１７を建物躯体Ｂに取付けることによって固定手段を形成し、壁体１１を嵌込み操作して建物躯体Ｂに固定することによって間仕切りを形成する。穴あき板材１２，１２は、裏打材１３、１３によって間仕切りとしての自立強度を簡易に確保することができる。
【００３３】
また、上記単一流路３によるシングル構成に対してこれを熱放射部ごとに前後に分割しダブル構成の例については、図４（ｂ）の断面図に示すように、壁体１１の中央に断熱材による仕切部１８を設け、流路３を２つに分けることにより、両側の部屋Ｒ１，Ｒ２を各別に冷暖房制御することが可能となる。
【００３４】
（構成例３）
図５の透視正面図に示す冷暖房用建物壁パネル２１は、図６のシングル構成とダブル構成の拡大断面図（ａ）（ｂ）に示すように、網目材によって自立可能に形成した籠体２２とその両表面に装着した穴あき材２３、２３とによって構成する。籠体２２は、エキスパンドメタル等を所定厚さの壁状に成形し、その上部と下部をボルト等による固定手段２４，２５を介して建物躯体Ｂに固定する。表面の穴あき材２３、２３は、布材、不織布等の通気性を主とする素材を含む多様な内装材から選択して籠体２２に取付ける。
【００３５】
上記構成の冷暖房用建物壁パネル２１による建物壁構造は、中空壁体を網目材によるかご構成とすることにより、自立強度を確保するとともに、通気性を有する幅広い仕上材の適用が可能となる。貫通孔を中空壁体に均等配置した場合は、その一様な吐出空気によって室内を横切る水平層流通気状態となり、快適な居住環境を形成することができる。この水平層流通気は、流線別に通気を占用することができるので、占用幅内について個別のクリーン通気を要する医療用を含め、健康で快適な居住環境を低コストで形成することができる。
【００３６】
（構成例４）
図７の透視正面図に示す冷暖房用建物壁パネル３１は、その拡大断面図を図８に示すように、隙間を挟んで相対する２枚の板材３２，３２と、これらの板材３２，３２の間の隙間に配置した管路３３と、これらの周囲空間を上記隙間の範囲で充実するコンクリート等による充填材３４とからなる成形体であり、スペーサ３５、保持材３６等を内設して施工現場にて充填成形可能に構成する。
【００３７】
２枚の板材３２，３２は、充填材３４から受けた冷温熱を外方に放射する放熱板である。
その上部には、充填材３４を内部空間に充填するためのパネル開口３７を形成する。管路３３は、熱媒体の冷温熱を充填材３４に伝える熱伝導性の架橋ポリエチレン材等によるパイプ材であり、熱媒体を強制貫流するための供給口３３ａと排出口３３ｂをその両端に備える。この供給口３３ａと排出口３３ｂは２枚の板材３２，３２のパネル開口３７において給排管３８と接続する。充填材３４は、間仕切壁としての自立強度を有するコンクリート等の充填材であり、かつ、管路３３と板材３２との間で冷温熱を伝える熱伝導材を使用する。
【００３８】
スペーサ３５は、その両端を２枚の板材３２，３２の内面側に取付けることによって所定距離に離間保持する。このスペーサ３５の両端には、２枚の板材３２，３２との間で着脱可能に嵌合固定するための嵌合部３５ａ，３５ａを介設する。保持材３６は、溶接メッシュ等の網目状部材によって形成し、スペーサ３５に固定した上でパイプ材による管路３３を取付けることにより位置決め保持する。
【００３９】
上記構成の冷暖房用建物壁パネル３１は、垂材１６および幅木１７を建物躯体Ｂに取付けた上で未充填の状態で間仕切壁として建て込み、パネル開口３７から生コンクリート等の充填固化する充填材または後に抜き取り可能な流動性材料による充填材を充填施工することにより、特別な重機を要することなく、簡易に熱放射間仕切壁を形成することができる。また、嵌合部３５ａ，３５ａにより施工性を確保することができる。この冷暖房用建物壁パネル３１による間仕切壁は、パネル開口３７において管路３３を給排管３８と接続し、冷温熱媒体を強制貫流させることにより、充填材３４を介して２枚の板材３２，３２から室内に冷温熱が放射される。この場合、充填材３４の熱容量を大きくとることによって蓄熱材として安定した温度環境を得ることができる。
【００４０】
また、上記冷暖房用建物壁パネル３１は、図８（ｃ）のように、その内部を熱放射部ごとに前後に分ける仕切部３９を設け、これを断熱材によって形成することにより、片側づつ個別の冷暖房制御が可能となる。さらに、図９のように、パネル表面に凹凸面を形成した板材３２ａを使用することにより、大きな放熱面積を大きく確保することができるので、効率の良い冷暖房が可能となる。
【００４１】
（構成例５）
図１０の断面図に示す建物壁構造を構成する冷暖房用建物壁パネル４１は、その要部拡大断面図を図１１に示すように、熱媒体を強制貫流するためのパイプ材による管路３３を内設したプレキャストコンクリート成形によるＰＣ板４２に断熱材４３および外装材４４を片面に取付けた外断熱式外壁パネルとして工場生産により予め構成し、これを建物躯体Ｂの外周に取付けることにより建物の外壁を構成する。
【００４２】
詳細に説明すると、冷暖房用建物壁パネル４１は、外壁強度を確保するための構造用鉄筋４５…をタテヨコ方向に配し、その端部を連結部４５ａ…として外周に突出して工場生産により金型成形する。建物躯体Ｂ側には、冷暖房用建物壁パネル４１を取付けるための挿筋４６…を突設した上で、外壁施工の際に、この施工部位の至近位置まで冷暖房用建物壁パネル４１を運搬し、建物外部からのリフト操作等により建物躯体Ｂの外周に冷暖房用建物壁パネル４１を嵌め込む。この冷暖房用建物壁パネル４１の外周の連結部４５ａ…と建物躯体Ｂの挿筋４６…との間を溶接連結した上で隙間をモルタル等の熱伝導性の充填材４７によって充填成形する。建物躯体Ｂの外周面には、ベランダ等の躯体延出部Ｃを除き、断熱材４３ａおよび外装材４４ａを取付ける。
【００４３】
上記構成の冷暖房用建物壁パネル４１による建物壁構造は、外装付ＰＣパネルとして構成することにより、構造外壁としてのパネル強度を容易に確保できるとともに、戸外からの外側施工の適用によって施工上の大きな自由度を有することから、リニューアルや部分改修の際の後工事、小規模建物に及ぶ幅広い適用が可能となる。
【００４４】
また、冷暖房の際は、管路３３に冷温水を熱媒体として強制貫流することによって外壁側から室内に冷温熱が放射されるので、戸外の気象条件の影響を最小限度に抑えることができるとともに、外壁に沿って家具等を配置した際の家具背面側の空気滞留による結露問題を解消することができる。特に、充填材４７によって冷暖房用建物壁パネル４１と建物躯体Ｂとを熱的に一体化することにより、ベランダ等の躯体延出部Ｃによって発生する冷橋現象を遮断することができるので、いわゆる外断熱工法によっても解決し得なかった冷橋問題を防止して躯体延出部Ｃによる付加構成と室内居住環境との両立を達成することができる。
【００４５】
このように、外壁に適用するべく冷暖房用建物壁パネル４１を構成することにより、間仕切ＰＣパネル等の重量による施工上の適用制限を受けることなく、間仕切りパネルによる冷暖房によっては達成の困難な均一な室内環境を容易に確保することができる。
【００４６】
また、外装付ＰＣパネルにアジャスト連結手段を組み込んだ建物壁構造の構成例を図１２に示すように、冷暖房用建物壁パネル５１は、アジャスト連結手段によって建物躯体Ｂに対して位置合わせした後、充填材４７によって埋め込むように充填成形することにより外壁を建て込むことができる。
【００４７】
詳細には、地上側のリフト手段によって冷暖房用建物壁パネル５１を建物躯体Ｂに嵌め込んだ後、インサート金具５３を介してＰＣ板４２下端に螺合したレベル調整用のボルト５２を建物躯体Ｂ側のプレート５４で受けてボルト５２によりレベル調整し、また、ＰＣ板４２上部に螺合したボルト５５によって建物躯体Ｂ側のアングルピース５６にパネル上部を固定する。発泡ウレタン等の断熱材４３ｂを隙間に吹き込み、シーリング材４４ｂで防水施工し、ボルト５２、５５、アングルピース５６等のアジャスト連結手段を含め、隙間を充填材４７によって埋め込むことにより、ＰＣパネルによる外壁を形成することができる。
【００４８】
なお、冷暖房用建物壁パネル４１、５１の断熱材４３を削除することにより、その外側空間を含めた冷暖房が可能となり、また、中間に断熱材による仕切部を挟んでいわゆるダブル構成とすることにより、外壁としての壁パネルの内外を個別に冷暖房制御することができる。これらの冷暖房効果については、前述の２つの板材からなる中空壁体による冷暖房用建物壁パネルを外壁に適用する建物壁構造の場合についても同様の作用効果を有することが明らかであることから、それぞれの説明を省略する。
【産業上の利用可能性】
【００４９】
本発明の冷暖房用建物壁構造は、低コストで快適な壁面輻射冷暖房を可能とするとともに、大規模建物の新設施工に限ることなく、小規模建物を含め、リニューアル施工や後工事による部分改修等にまで幅広く適用することができる。
【図面の簡単な説明】
【００５０】
【図１】本発明の建物壁構造に係る冷暖房用建物壁パネル（構成例１）の要部斜視図である。
【図２】図１の冷暖房用建物壁パネルの拡大断面図である。
【図３】本発明の建物壁構造に係る冷暖房用建物壁パネル（構成例２）の要部斜視図である。
【図４】図３の壁体の具体的な構成例の断面斜視図（ａ）と別の構成例の断面図（ｂ）である。
【図５】本発明の建物壁構造に係る冷暖房用建物壁パネル（構成例３）の透視正面図である。
【図６】図５の冷暖房用建物壁パネルのシングル構成とダブル構成の拡大断面図（ａ）（ｂ）である。
【図７】本発明の建物壁構造に係る冷暖房用建物壁パネル（構成例４）の部分破断正面図
【図８】図７のＡ−Ａ線断面図とＢ−Ｂ線断面図、およびそのダブル構成の拡大断面図（ａ〜ｃ）である。
【図９】図７の冷暖房用建物壁パネルの別の構成例を示す断面図である。
【図１０】本発明の建物壁構造に係る冷暖房用建物壁パネル（構成例５）の断面図である。
【図１１】図１０の冷暖房用建物壁パネルの要部拡大断面図である。
【図１２】アジャスト連結手段を組み込んだ外装付ＰＣパネルの断面図である。
【符号の説明】
【００５１】
１    冷暖房用建物壁パネル（壁体）
２    板材
２ａ    熱放射部
３    流路
４    供給口
５    排出口
５ａ    貫通孔
５ｂ    貫通孔
７    送出部
８    送出ダクト
１１    冷暖房用建物壁パネル（壁体）
１２    板材
１３    裏打材
１８    仕切部
２１    冷暖房用建物壁パネル（壁体）
２２    籠体
２３    穴あき材
３１    冷暖房用建物壁パネル（壁体）
３２    板材
３２ａ    板材
３３ａ    供給口
３３ｂ    排出口
３３    管路
３４    充填材
３５    スペーサ
３５ａ    嵌合部
３６    保持材
３７    パネル開口
３８    給排管
３９    仕切部
４１    冷暖房用建物壁パネル（壁体）
４２    ＰＣ板
４３    断熱材
４４    外装材
４５    構造用鉄筋
４５ａ    連結部
４６    挿筋
４７    充填材
Ｂ    建物躯体
Ｃ    躯体延出部
Ｒ，Ｒ１，Ｒ２    室内
Ｗ    単位寸法幅
【図１】
2005036504.tif 000003
【図２】
2005036504.tif 000004
【図３】
2005036504.tif 000005
【図４】
2005036504.tif 000006
【図５】
2005036504.tif 000007
【図６】
2005036504.tif 000008
【図７】
2005036504.tif 000009
【図８】
2005036504.tif 000010
【図９】
2005036504.tif 000011
【図１０】
2005036504.tif 000012
【図１１】
2005036504.tif 000013
【図１２】
2005036504.tif 000014